(57)【要約】 【課題】下着類の傷みや形崩れを防止でき、且つ、優れた洗浄力を保持できる形崩れ防止用洗濯ネットを提供する。【解決手段】一端を開閉自在としたメッシュ状の素材で成る有底筒状の袋体１と、合成樹脂材で形成され、前記袋体１の胴部１ｂを囲むように着脱自在に装着されて前記袋体１を筒状に保形する複数のガード部材２とで構成されている。【選択図】図１
2008264304.tif 000002
【特許請求の範囲】
【請求項１】
一端を開閉自在としたメッシュ状の素材で成る有底筒状の袋体と、
合成樹脂材で形成され、前記袋体の胴部を囲むように着脱自在に装着されて前記袋体を筒状に保形する複数のガード部材とで構成されることを特徴とする形崩れ防止用洗濯ネット。
【請求項２】
前記ガード部材に通水用の孔が多数設けられていることを特徴とする請求項１に記載の形崩れ防止用洗濯ネット。
【請求項３】
前記ガード部材は、前記袋体の胴部に設けられたポケット部に収容されていることを特徴とする請求項１または請求項２に記載の形崩れ防止用洗濯ネット。
【発明の詳細な説明】
【技術分野】
【０００１】
本発明は、女性の下着類、特に、ブラジャーを形崩れさせずに洗濯できる形崩れ防止用洗濯ネットに関するものである。
【背景技術】
【０００２】
従来より、繊細で傷み易い素材から成る女性用の下着類を入れて洗濯する洗濯ネットとして、特に、形崩れを起こし易いブラジャー専用の洗濯ネットが提案されている（特許文献１）。
【０００３】
特許文献１の洗濯ネットは、ボール状のネット内にブラジャーを入れ、洗濯の際に、洗濯槽内の他の洗濯物と絡み合ってネット内の下着が傷みや形崩れを起こさないように、それ自体の浮力で洗濯槽内の水面に浮かせて水流により回転洗浄させるようにしたものである。
【０００４】
しかしながら、上記洗濯ネットは、それ自体に保形性がなく、洗濯時の衝撃や圧力で、洗濯ネットが潰れたり変形したりするため、ネット内のブラジャーの形崩れを完全に防止するのは難しかった。
また、上記洗濯ネットは、洗濯槽内の水面に浮遊させて使用することから、ネット内の通水性が悪く、洗浄力に劣るという問題点を有していた。
【特許文献１】特開２００６−２４７３２４号公報
【発明の開示】
【発明が解決しようとする課題】
【０００５】
本発明は、上記問題点に鑑みなされたもので、下着類の傷みや形崩れを防止でき、且つ、優れた洗浄力を保持できる形崩れ防止用洗濯ネットを提供することを目的としている。
【課題を解決するための手段】
【０００６】
すなわち、請求項１に記載の形崩れ防止用洗濯ネットは、一端を開閉自在としたメッシュ状の素材で成る有底筒状の袋体と、合成樹脂材で形成され、前記袋体の胴部を囲むように着脱自在に装着されて前記袋体を筒状に保形する複数のガード部材とで構成されることを特徴としている。
【０００７】
また、請求項２に記載の発明は、請求項１に記載の形崩れ防止用洗濯ネットにおいて、前記ガード部材に通水用の孔が多数設けられていることを特徴としている。
【０００８】
また、請求項３に記載の発明は、前記ガード部材は、前記袋体の胴部に設けられたポケット部に収容されていることを特徴としている。
【発明の効果】
【０００９】
請求項１〜３に記載の発明によれば、メッシュ状の素材で成る柔軟性のある袋体がガード部材の剛性により補強されて、筒状に保形されているため、洗濯中に洗濯ネットが水流に揉まれても、洗濯ネット自体が潰されたり極端に変形したりすることはなく、洗濯ネット内の下着類（ブラジャー）の形崩れを効果的に防止することができる。
また、ガード部材は、合成樹脂材で形成されているため、洗濯ネットは幾分浮上性は有するものの、従来の洗濯ネットのように水面を浮遊・旋回することなく、水中内を他の洗濯物とともに浮遊・旋回するため、ネット内への通水は良好であり、優れた洗浄力が得られる。
さらにまた、袋体が複数のガード部材を用いて保形されるため、一体物のガード部材を用いる構造に比べて外部衝撃に対する弾力性に優れており、水中を浮遊・旋回する際の外部衝撃や圧力による洗濯ネットへのダメージを軽減することができる。
加えて、洗濯ネットを使用しない時は、袋体のポケット部よりガード部材を取り外し、重ね合わせることでコンパクトに纏めることができるため、収納し易く便利である。同様に、販売店においては、コンパクトに纏めてパッケージできるため、場所を取らず都合が良い。
【００１０】
また、請求項２に記載の発明によれば、ガード部材には多数の孔が設けられているので、洗濯時の通水性を損なうことなく洗濯ネットを筒状に保形でき、ネット内の下着類を好適に保護できると共に、良好な通水性により優れた洗浄力を得ることができる。
【００１１】
また、請求項３に記載の発明によれば、ガード部材は、袋体胴部のポケット部に収容されるので、ガード部材の着脱は容易であり、且つ、ネット内の下着類にガード部材が直接接触することはなく、よって、洗濯中に布地を傷める虞はない。
【発明を実施するための最良の形態】
【００１２】
以下、図１〜図３に基づいて本発明に係る形崩れ防止用洗濯ネットの一実施形態を説明する。
図１は本実施形態による形崩れ防止用洗濯ネットの外観を示し、図２は形崩れ防止用洗濯ネットの組み立て状態を示し、図３は形崩れ防止用洗濯ネットが畳まれた状態を示している。
【００１３】
本実施形態による形崩れ防止用洗濯ネット１０（以下、単に洗濯ネット１０とする）は、特に女性にとって形崩れが気になる下着（ブラジャー）の洗濯に用いて好適な洗濯ネットであり、図１に示すように、上端が開閉自在とされた円筒状の袋体１と、この袋体１の胴部１ｂに装着されて、その剛性により袋体１を補強し、筒状に保形する複数（本実施形態では２枚）のガード部材２、２とで構成されている。
【００１４】
上記袋体１は、例えば、ポリエステル繊維等で成るメッシュ状（網目状）の素材を用いて構成され、円形状の蓋部１ａと底部１ｃと、細長筒状の胴部１ｂにより成る密閉形の容器であり、胴部１ｂと蓋部１ａの繋ぎ目にファスナー３を設けることにより、蓋部１ａを開閉自在としている。
【００１５】
他方、上記ガード部材２は、例えば、ポリプロピレン等のある程度の柔軟性を有する合成樹脂材で形成される板状部材で、装着される袋体１の胴部１ｂに合わせて断面円弧状に湾曲されており、その全面に通水用の四角い孔６が一定間隔で縦横整列状態に多数形成されている。ガード部材２の縦寸法は、胴部１ｂの高さ寸法より幾分短目に形成されている。
【００１６】
また、袋体１の胴部１ｂは、内ネット１ｂ１と外ネット１ｂ２による二重構造と成されていると共に、その外ネット１ｂ２の高さ方向の中央より幾分底部１ｃ寄りの部位の２カ所が周方向に開口され、それぞれ開口部分がファスナー５により開閉自在とされて、上記ガード部材２を内ネット１ｂ１と外ネット１ｂ２の間に収容するための二つのポケット部４が形成されている。
図２に示すように、各ポケット部４にそれぞれガード部材２が収容され、これらが胴部１ｂを囲むように所定の間隔を持って配置されることにより、これらガード部材２の剛性により袋体１が補強され、且つ、筒状に保形される。
【００１７】
洗濯の際は、先ず、ファスナー５により各ポケット部４を開けて外側より２枚のガード部材２を袋体１の胴部１ｂに挿入し、洗濯ネット１０を筒状に保形した後にポケット部４を閉じ、次に、ファスナー３により、袋体１の蓋部１ａを開けてネット内にブラジャーを入れ、蓋部１ａを閉じた状態で洗濯機の洗濯槽に投げ込めば良い。洗濯ネット１０内のブラジャーは、洗濯槽内の他の洗濯物とともに水流により洗濯水中を旋回して洗濯される。
【００１８】
この際、本構成の洗濯ネット１０は、メッシュ状の素材で成る柔軟な袋体１の胴部１ｂが複数のガード部材２にて補強されて筒状に保形され、且つ、袋体１の両端部もメッシュ状の素材で成る蓋部１ａと底部１ｃで保護されているので、洗濯中に洗濯ネット１０が水流に揉まれても、洗濯ネット１０自体が潰されたり極端に変形したりすることはなく、洗濯ネット１０内のブラジャーの形崩れを効果的に防止することができる。
さらに、このガード部材２は、合成樹脂材で形成されているため、洗濯ネット１０は幾分浮上性は有するものの、従来の洗濯ネットのように、水面を浮遊・旋回することなく、水中を浮遊・旋回するため、ネット内への通水は良好であり、優れた洗浄力が得られる。
【００１９】
特に、複数のガード部材２で保形されているため、一体物のガード部材を用いて保形する構造に比べて外部衝撃に対する弾力性に優れており、水中を浮遊・旋回する際の外部衝撃による洗濯ネット１０へのダメージを軽減することができる。
【００２０】
また、ガード部材２には、多数の孔６が設けられているので、洗濯時の通水性を損なうことなく洗濯ネット１０を筒状に保形でき、ネット内の下着類を好適に保護できると共に、洗濯時には、洗濯水が袋体１の網目からガード部材２の孔６を通してネット内に導入され、良好な通水性により優れた洗浄力を得ることができる。
【００２１】
さらにまた、ガード部材２は、袋体胴部１ｂの外側に設けられたポケット部４に収容できるので、ガード部材２の着脱は容易であり、且つ、ガード部材２は外ネット１ｂ１と内ネット１ｂ２の間に装着されているため、洗濯ネット１０内のブラジャーに硬いガード部材２が直接接触することはなく、よって、洗濯中に布地を傷める虞はない。
加えて、洗濯ネット１０を使用しない時は、図３に示すように、ガード部材２を袋体１のポケット部４より取り外して重ね合わせておくことで、コンパクトに纏めて収納・保管にできるため都合が良い。同様に、販売店においては、コンパクトに纏めてパッケージできるため、店頭に並べる際、場所を取らず都合が良い。
【００２２】
以上、本実施形態では、ガード部材２を２枚用いた場合を示したが、これに限定されるものではなく、袋体１を保形できる少なくとも２枚以上に分割されていれば良い。
また、袋体１の形状を円筒形としたが、この他、角形筒状としても良い。
【図面の簡単な説明】
【００２３】
【図１】本発明の実施形態として示した形崩れ防止用洗濯ネットの外観斜視図。
【図２】同、形崩れ防止用洗濯ネットの組み立てを示す斜視図。
【図３】同、形崩れ防止用洗濯ネットを畳んだ状態を示す斜視図。
【符号の説明】
【００２４】
１  袋体
１ｂ  胴部
２  ガード部材
４  ポケット部
６  孔
１０  形崩れ防止用洗濯ネット
【図１】
2008264304.tif 000003
【図２】
2008264304.tif 000004
【図３】
2008264304.tif 000005